(57)【要約】【課題】  バーコード表示する管理用札における情報量の問題や、文字表示する管理用札における管理のための労力と時間の負荷の問題を解決できる、園芸品や樹木などを管理するための、ＩＣタグを用いた管理用札を提供する。同時に、そのような管理用札を用いた、園芸品や樹木などを管理するための管理システムを提供する。【解決手段】  ＩＣタグ全体を耐候性の良い材質からなる外装基材の内部に組込んでいるもので、前記外装基材には、前記園芸品や樹木の一部に取り付けるための取りつけ部、およびまたは、土壌にさして固定するための挿入部を設けている。【選択図】  図１
2005304348.tif 000002
【特許請求の範囲】
【請求項１】
園芸品や樹木などを管理するための、ＩＣタグを用いた管理用札であって、ＩＣタグ全体を外装基材の内側に組込んでいるもので、前記外装基材には、前記園芸品や樹木の一部に取り付けるための取りつけ部、およびまたは、土壌にさして固定するための挿入部を設けていることを特徴とするＩＣタグを用いた管理用札。
【請求項２】
請求項１に記載のＩＣタグを用いた管理用札であって、ＩＣタグをインモールド成形して、モールド樹脂を外装基材として組込んでいるものであることを特徴とするＩＣタグを用いた管理用札。
【請求項３】
請求項１に記載のＩＣタグを用いた管理用札であって、ＩＣタグを内側にしてプラスチックフィルムあるいはプラスチックシートで貼り合わせて、該プラスチックフィルムあるいはプラスチックシートを外装基材として組込んでいることを特徴とするＩＣタグを用いた管理用札。
【請求項４】
園芸品や樹木などを管理するための、ＩＣタグを用いた管理用札であって、ＩＣタグを支持基材に外付けしているもので、前記支持基材には、前記園芸品や樹木の一部に取り付けるための取りつけ部、およびまたは、土壌にさして固定するための挿入部を設けていることを特徴とするＩＣタグを用いた管理用札。
【請求項５】
請求項１ないし４のいずれか１に記載のＩＣタグを用いた管理用札であって、取りつけ部としてぶら下げ用の穴を設けていることを特徴とするＩＣタグを用いた管理用札。
【請求項６】
請求項１ないし５のいずれか１に記載のＩＣタグを用いた管理用札であって、外装基材の一部に土壌にさし込むための鋭利な形状を設けて、この部分を挿入先部としてることを特徴とするＩＣタグを用いた管理用札。
【請求項７】
ＩＣタグを用いた管理用札を用いて、園芸品や樹木を管理するの管理システムであって、目的とする園芸品や樹木に取り付けて、あるいは、それらの近くの土壌にさし込んで、該目的とする園芸品、樹木の情報をそのＩＣタグのメモリ内に保管するためのＩＣタグを用いた管理用札と、該ＩＣタグのメモリの情報を読み込む、あるいは、メモリ内に情報を書き込むためのリーダライタと、リーダライタによりＩＣタグのメモリの情報を読み込んで得られた情報（データ）を保管する情報保管部とを備えているもので、前記ＩＣタグを用いた管理用札は、ＩＣタグを外装基材に組込んでいるもの、あるいは、ＩＣタグを支持基材に外装しているものであって、前記外装基材あるいは支持基材には、前記園芸品や樹木の一部に取り付けるための取りつけ部、およびまたは、土壌にさして固定するための挿入部を設けていることを特徴とする園芸品や樹木の管理システム。
【請求項８】
請求項７に記載の園芸品や樹木の管理システムであって、情報保管部の情報（データ）を利用して、所定の処理を行う処理部を備えていることを特徴とする園芸品や樹木の管理システム。
【請求項９】
請求項７ないし８のいずれか１に記載の園芸品や樹木の管理システムであって、ＩＣタグのメモリの情報は、ＩＤ情報、種類情報、あるいは生育度情報、位置情報、病虫害情報、手入れ情報（伐採、剪定等）、品種改良情報等であることを特徴とする園芸品や樹木の管理システム。
【発明の詳細な説明】
【技術分野】
【０００１】
本発明は、園芸品や樹木などを管理するための、ＩＣタグを用いた管理用札、及び該ＩＣタグを用いた園芸品や樹木の管理システムに関する。
【背景技術】
【０００２】
従来、樹木の管理用には、情報をバーコード表示や文字表示した札を、管理用札として用いていた。
しかし、大量の樹木を管理する場合には、文字表示した管理用札を目で確認する方法では、管理のための労力と時間が大きな負荷となっていた。
また、バーコードを表示した札を管理用の表示札として用いる場合には、表示札に表示できる情報量が少ない、表示札が汚れて表示が消える、表示の書き換えや追記を簡単にできない、等の問題があった。
また、特開２００２−２３６７８２号公報（特許文献１）には、携帯端末を利用した樹木管理システムが開示されているが、ここには、人が携帯端末にて情報を入力した情報をインターネット等を介して管理することが開示されているだけである。
【特許文献１】特開２００２−２３６７８２号公報
【０００３】
一方、近年、データを搭載したＩＣを、アンテナ回路と接続した、シート状ないし札状の非接触式のＩＣタグが、近年、種々提案され、商品や包装箱等に付け、万引き防止、物流システム、商品管理等に利用されるようになってきた。
そして、ＩＣタグを用いた種々の利用方法や利用システムが開発されている。
尚、ここでＩＣタグという場合、薄いフィルム上にアンテナコイルとＩＣチップとを電気的に接続して備えて札状にし、非接触データキャリアとしての機能を有するもの（以下、一次加工ＩＣタグとも言う）と、このような一次加工ＩＣタグを用い、これをモールド外装したもの（以下、モールドタグとも言う）や、ラベル状、カード状に加工したものも含む。
【発明の開示】
【発明が解決しようとする課題】
【０００４】
上記のように、近年、ＩＣタグの需要が増大し、また、その種々の利用方法が検討されている中、従来、樹木の管理するために用いられている情報をバーコード表示や文字表示した管理用札の利用には、種々問題があり、この対応が求められていた。
本発明は、これらに対応するもので、バーコード表示する管理用札における情報量の問題や、文字表示する管理用札における管理のための労力と時間の負荷の問題を解決できる、園芸品や樹木などを管理するための、ＩＣタグを用いた管理用札を提供しようとするものである。
同時に、そのような管理用札を用いた、園芸品や樹木などを管理するための管理システムを提供しようとするものである。
【課題を解決するための手段】
【０００５】
第１の発明のＩＣタグを用いた管理用札は、園芸品や樹木などを管理するための、ＩＣタグを用いた管理用札であって、ＩＣタグ全体を外装基材の内側に組込んでいるもので、前記外装基材には、前記園芸品や樹木の一部に取り付けるための取りつけ部、およびまたは、土壌にさして固定するための挿入部を設けていることを特徴とするものである。
そして、上記のＩＣタグを用いた管理用札であって、ＩＣタグをインモールド成形して、モールド樹脂を外装基材として組込んでいるものであることを特徴とするものである。  あるいはまた、上記のＩＣタグを用いた管理用札であって、ＩＣタグを内側にしてプラスチックフィルムあるいはプラスチックシートで貼り合わせて、該プラスチックフィルムあるいはプラスチックシートを外装基材として組込んでいることを特徴とするものである。
第２の発明のＩＣタグを用いた管理用札は、園芸品や樹木などを管理するための、ＩＣタグを用いた管理用札であって、ＩＣタグを支持基材に外付けしているもので、前記支持基材には、前記園芸品や樹木の一部に取り付けるための取りつけ部、およびまたは、土壌にさして固定するための挿入部を設けていることを特徴とするものである。
尚、ここで、Ａ、およびまたは、Ｂとは、Ａ、Ｂのいずれか一方または両方を意味する。
【０００６】
そして、上記いずれかのＩＣタグを用いた管理用札であって、取りつけ部としてぶら下げ用の穴を設けていることを特徴とするものである。
また、上記いずれかのＩＣタグを用いた管理用札であって、外装基材の一部に土壌にさし込むための鋭利な形状を設けて、この部分を挿入先部としてることを特徴とするものである。
尚、挿入先部とは、土壌にＩＣタグを用いた管理用札を挿入する際に先頭となる部分である。
【０００７】
本発明の園芸品や樹木の管理システムは、ＩＣタグを用いた管理用札を用いて、園芸品や樹木を管理するの管理システムであって、目的とする園芸品や樹木に取り付けて、あるいは、それらの近くの土壌にさし込んで、該目的とする園芸品、樹木の情報をそのＩＣタグのメモリ内に保管するためのＩＣタグを用いた管理用札と、該ＩＣタグのメモリの情報を読み込む、あるいは、メモリ内に情報を書き込むためのリーダライタと、リーダライタによりＩＣタグのメモリの情報を読み込んで得られた情報（データ）を保管する情報保管部とを備えているもので、前記ＩＣタグを用いた管理用札は、ＩＣタグを外装基材に組込んでいるもの、あるいは、ＩＣタグを支持基材に外装しているものであって、前記外装基材あるいは支持基材には、前記園芸品や樹木の一部に取り付けるための取りつけ部、およびまたは、土壌にさして固定するための挿入部を設けていることを特徴とするものである。
そして、上記の園芸品や樹木の管理システムであって、情報保管部の情報（データ）を利用して、所定の処理を行う処理部を備えていることを特徴とするものである。
そしてまた、上記のいずれかの園芸品や樹木の管理システムであって、ＩＣタグのメモリの情報は、ＩＤ情報、種類情報、あるいは生育度情報、位置情報、病虫害情報、手入れ情報（伐採、剪定等）、品種改良情報等であることを特徴とするものである。
【０００８】
（作用）
第１の発明および第２の発明のＩＣタグを用いた管理用札は、このような構成にすることにより、バーコード表示する管理用札における情報量の問題や、文字表示する管理用札における管理のための労力と時間の負荷の問題を解決できる、園芸品や樹木などを管理するための、ＩＣタグを用いた管理用札の提供を可能としている。
そして、取りつけ部としてぶら下げ用の穴、およびまたは、外装基材の一部に土壌にさし込むための鋭利な形状を設けて、この部分を挿入部としてることにより、簡単な構造で、その取り付けあるいは固定を容易にしている。
取りつけ部と挿入部との両方を設けている場合には、その扱い方を許容範囲の広いものとできる。
結局、このような構成にすることにより、管理用札としての取りつけ機能と、ＩＣタグとしての情報担持機能を同時に有したものとしている。
第１の発明のＩＣタグを用いた管理用札の場合は、容易にＩＣタグを外部に取り出すことができないものとし、その悪用を防止でき、また、量産性にも向いている。
ＩＣタグをインモールド成形して、モールド樹脂を外装基材として、あるいは、ＩＣタグを内側にしてプラスチックフィルムあるいはプラスチックシートを貼り合わせて、該プラスチックフィルムあるいはプラスチックシートを外装基材として組込む形態は量産性に向いている。
第２の発明のＩＣタグを用いた管理用札は、このような構成にすることにより、プレートとＩＣタグのどちらかが故障ないし破損した場合には、故障ないし破損したものだけを代えればよくなる。
また、ＩＣタグと支持基材の組み合わせに自由度がある。
また、ＩＣタグと支持基材の材質が異なっても組み合わせて使用できる。
尚、第１の発明における外装基材や、第２の発明における支持基材としては、耐候性の良い材質からなるものが好ましい。
【０００９】
本発明の園芸品や樹木の管理システムは、このような構成にすることにより、即ち、第１の発明のＩＣタグを用いた管理用札、あるいは第２の発明のＩＣタグを用いた管理用札を用いる構成で、情報量の問題を解決し、労力と時間の負荷が少ない管理システムの提供を可能としている。
勿論、得られた情報を利用して、それを自動的に、所定の処理を行ったり、フィードバック動作をするような、処理部を備えた構成としても良い。
このシステムにおける、ＩＣタグのメモリの情報としては、ＩＤ情報、種類情報、あるいは生育度情報、位置情報、病虫害情報、手入れ情報（伐採、剪定等）、品種改良情報等が挙げられるが、これらに限定はされない。
【発明の効果】
【００１０】
本発明は、上記のように、バーコード表示する管理用札における情報量の問題や、文字表示する管理用札における管理のための労力と時間の負荷の問題を解決できる、園芸品や樹木などを管理するための、ＩＣタグを用いた管理用札の提供を可能にした。
同時に、そのような管理用札を用いた、園芸品や樹木などを管理するための管理システムの提供を可能とした。
【発明を実施するための最良の形態】
【００１１】
本発明の実施の形態を図に基づいて説明する。
図１（ａ）は本発明のＩＣタグを用いた管理用札の実施の形態の第１の例示した図で、図１（ｂ）は図１（ａ）の太線矢印の方向からみた図で、図１（ｃ）はＩＣタグの１例を示した図で、
図２（ａ）は本発明のＩＣタグを用いた管理用札の実施の形態の第２の例示した図で、図２（ｂ）は図２（ａ）の太線矢印の方向からみた図で、図３は本発明の園芸品や樹木の管理システムの簡単な１例の概略構成図である。
図１〜図３において、１１０はＩＣタグを用いた管理用札（単に、管理用札とも言う）、１１０ａ〜１１０ｎはＩＣタグを用いた管理用札（単に、管理用札とも言う）、１１１は基材（外装基材とも言う）、１１２は穴、１１３は挿入部、１１５は挿入先部、１２０はＩＣタグ、１２０ａ〜１２０ｎはＩＣタグ、１２１はベースフィルム（ベース基材）、１２２はアンテナコイル、１２３はＩＣチップ、１２５はかしめ接続部、１２６ａ、１１２６ｂは接続用端子部、２１０はＩＣタグを用いた管理用札（単に、管理用札とも言う）、２１１は基材（支持基材とも言う）、２１２は穴、２１３は挿入部、２１５は挿入先部、２２０はＩＣタグである。
【００１２】
本発明のＩＣタグを用いた管理用札の実施の形態の第１の例を図１に基づいて簡単に説明する。
本例のＩＣタグを用いた管理用札１１０は、園芸品や樹木などを管理するための管理用札であって、図１（ａ）、図１（ｂ）に示すように、ＩＣタグ１２０を外装基材１１１に組込んでいる形態のもので、ＩＣタグ１２０全体をインモールド成形して、耐候性の良い材質からなるモールド樹脂を外装基材１１１として、内側に組込んでいる。
本例のＩＣタグを用いた管理用札１１０には、取りつけ部としてぶら下げ用の穴１１２を設け、更に、土壌にさして固定するための挿入部１１３を備えている。
挿入部１１３の挿入する際の先端となる挿入先部１１５を先細、先薄の鋭利な形状としている。
これにより、園芸品や樹木などに直接あるいはひもにより吊り下げて使用することも、土壌にさし込んで固定して使用することもできる。
【００１３】
基材１１１インモールド形成する際に用いる樹脂としては、ＰＰ（ポリプロピレン）、ＰＥ（ポリエチレン）、ＡＢＳなど汎用樹脂やＰＰＳ（ポリフェニレンサルフイド）などの耐熱エンプラ（エンジニアリング改質プラスチック）などが挙げられる。
ＩＣタグ１２０としては、本例では、図１（ｃ）に示すような、ベースフィルム（ベース基材）の１面上に、アンテナコイル１２２をその両はしを開放して形成し、ＩＣチップ１２０をアンテナコイルを接続し、更に、アンテナコイル１２２の開放した両端をかしめ接続した、札状の一次ＩＣタグを用いている。
ベースフィルム（ベース基材）１２１としては、ＰＥＴ（ポリエチレンテレフタレート）、ＰＥＮ（ポリエチレンナフタレート）、ＰＢＴ（ポリブチレンテレフタレート）、ＰＥＴＧ（非結晶性ポリエステルフィルム）等の汎用プラスチックフィルムのほか、ＰＩ（ポリイミド）やＰＥＩ（ポリエーテルイミド）等の耐熱性に優れた材料が用いられ、
アンテナコイル１２２としては、Ｃｕ、Ａｌ等の金属箔をエッチングまたは金属メッキ形成したものや、導電性の金属粒子を混在させた導電性ペースト層を印刷形成したものが用いられる。
ＰＰ（ポリプロピレン）、ＰＥ（ポリエチレン）、ＡＢＳなど汎用樹脂やＰＣ（ポリカーボネート）、ＰＡ（ポリアミド）、などの汎用エンプラ（エンジニアリング改質プラスチック）、またはＬＣＤ（液晶ポリマー）やＰＰＳ（ポリフェニレンサルフイド）などの耐熱性に優れたスーパーエンプラなどが挙げられる。
【００１４】
第１の例の変形例として、外装基材１１１としてのプラスチックフィルムあるいはプラスチックシートで貼り合わせて、ＩＣタグ１２０全体を、外装基材１１１の内側に組込んでいるものが挙げられる。
勿論、第１の例において、挿入部１１３を持たない構造のものや、第１の例において、穴１１２を持たない構造のものも、変形例として挙げられる。
【００１５】
次に、第１のＩＣタグを用いた管理用札の使用を図３に基づいて簡単に説明する。
尚、これを以って、本発明の園芸品や樹木の管理システムの実施の形態の１例の説明に代える。
ここでは、図３に示すように、第１の例のＩＣタグを用いた管理用札１１０ａ〜１１０ｎをそれぞれ、図示していない別々の樹木に対応させて、それぞれの樹木の情報得てを管理するものとする。
管理用札１１０ａ〜１１０ｎは、それぞれ、目的とする樹木に取り付けて、あるいは、それらの近くの土壌にさし込んで、該目的とする樹木の情報をそのＩＣタグ１２０ａ〜１２０ｎのメモリ内に保管しておく。
管理者は、必要に応じて、Ｒ／Ｗ（リーダライタ）により、各ＩＣタグを用いた管理用札１１０ａ〜１１０ｎのＩＣタグのメモリの情報を読み込む、あるいは、メモリ内に情報を書き込む。
各ＩＣタグを用いた管理用札１１０ａ〜１１０ｎのＩＣタグのメモリの情報としては、樹木ＩＤ情報、樹木の種類情報、あるいは樹木生育度情報、位置情報、病虫害情報、手入れ情報（伐採、剪定）、品種改良情報等が挙げられるが、これらに限定はされない。
Ｒ／Ｗ（リーダライタ）により、読み込まれて得られた各樹木の情報は、それぞれ、情報管理部に送られて一括管理される。
Ｒ／Ｗ（リーダライタ）から情報管理部への情報（データ）の送付は、通信あるいは記録媒体を介して行うことができる。
例えば、通信機能付きのＰＤＡ（Ｐｅｒｓｏｎａｌ  Ｄｉｇｉｔａｌ  Ａｓｓｉｓｔａｎｔ：携帯情報端末）にＲ／Ｗを接続して、ネット網を介してネット網に接続している情報管理部に送られる。
あるいは、Ｒ／Ｗにフラッシュメモリ等のメモリを外付けしてこれを記録媒体として移動して情報管理部にて情報（データ）を読み込むこともできる。
管理されている情報は、目的に応じて、処理部にて利用される。
そして、例えば、水まき等の所定の作業を自動的に行わせることもできる。
尚、上記はＩＣタグを用いた管理用札の使用の１例で、これに限定されない。
また、使用する管理システムの形態もこれに限定はされない。
【００１６】
次に、本発明のＩＣタグを用いた管理用札の実施の形態の第２の例を図２に基づいて簡単に説明する。
本例のＩＣタグを用いた管理用札２１０は、園芸品や樹木などを管理するための管理用札であって、図２（ａ）、図２（ｂ）に示すように、
ＩＣタグ２２０を耐候性の良い材質からなる支持基材２１１に外付けしているもので、支持基材２１１には、前記園芸品や樹木の一部に取り付けるための取りつけ部として穴２１２を設け、更に、土壌にさして固定するための挿入部２１３を設けている。
本例では、ＩＣタグ２２０として、第１の例の図１（ｃ）に示すような札状の一次ＩＣタグを樹脂モールドしたモールドＩＣタグを用いた。
支持基材の各部の材質は、第１の例同様のものが使用できる。
勿論、変形例としては、第２の例において、挿入部２１３を持たない構造のものや、第２の例において、穴２１２を持たない構造のものが挙げられる。
第２の例も第１の例と同様に使用することができる。
【図面の簡単な説明】
【００１７】
【図１】図１（ａ）は本発明のＩＣタグを用いた管理用札の実施の形態の第１の例示した図で、図１（ｂ）は図１（ａ）の太線矢印の方向からみた図で、図１（ｃ）はＩＣタグの１例を示した図である。
【図２】図２（ａ）は本発明のＩＣタグを用いた管理用札の実施の形態の第２の例示した図で、図２（ｂ）は図２（ａ）の太線矢印の方向からみた図である。
【図３】本発明の園芸品や樹木の管理システムの簡単な１例の概略構成図である。
【符号の説明】
【００１８】
１１０              ＩＣタグを用いた管理用札（単に、管理用札とも言う）
１１０ａ〜１１０ｎ  ＩＣタグを用いた管理用札（単に、管理用札とも言う）
１１１              基材（外装基材とも言う）
１１２              穴
１１３              挿入部
１１５              挿入先部
１２０              ＩＣタグ
１２０ａ〜１２０ｎ  ＩＣタグ
１２１              ベースフィルム（ベース基材）
１２２              アンテナコイル
１２３              ＩＣチップ
１２５              かしめ接続部
１２６ａ、１１２６ｂ  接続用端子部
２１０              ＩＣタグを用いた管理用札（単に、管理用札とも言う）
２１１              基材（支持基材とも言う）
２１２              穴
２１３              挿入部
２１５              挿入先部
２２０              ＩＣタグ
【図１】
2005304348.tif 000003
【図２】
2005304348.tif 000004
【図３】
2005304348.tif 000005